(57)【要約】      （修正有）【課題】採取針が用いられる気体採取装置の安全性を向上する。【解決手段】気体採取装置１は、ガスバッグ内の気体を採取するための装置であって、装置筐体５と、バッグ収納部９と、採取針と、カバー部材１１とを備えている。バッグ収納部９は、第１開口部９ａを有しており、装置筐体５内の第１位置と、装置筐体５外において第１開口部９ａが露出することでガスバッグを収納するための第２位置との間で移動可能である。採取針は、装置筐体５内で固定されており、バッグ収納部９が第２位置にあるときにバッグ収納部９内には進入せず、バッグ収納部９が第１位置にあるときにバッグ収納部９内に進入している。カバー部材１１は、ストッパ１５を有している。ストッパ１５は、バッグ収納部９が第２位置にあるときに、バッグ収納部９が第１位置に戻ることを許容する第１姿勢と、バッグ収納部９が第１位置に戻ることを規制する第２姿勢とを取ることができる。【選択図】図３
2019219172.tif 000002
【特許請求の範囲】
【請求項１】
バッグ内の気体を採取するための気体採取装置であって、
装置筐体と、
開口部を有しており、前記装置筐体内の第１位置と、前記装置筐体外において前記開口部が露出することでバッグを収納するための第２位置との間で移動可能なバッグ収納部と、
前記装置筐体内で固定されており、前記バッグ収納部が第２位置にあるときに前記バッグ収納部内には進入せず、前記バッグ収納部が第１位置にあるときに前記バッグ収納部内に進入している採取針と、
前記バッグ収納部が第２位置にあるときに、前記バッグ収納部が第１位置に戻ることを許容する第１姿勢と、前記バッグ収納部が第１位置に戻ることを規制する第２姿勢とを取ることができるストッパを有する規制部と、
を備えた気体採取装置。
【請求項２】
前記バッグ収納部が第２位置に到達すれば、前記ストッパを自動的に第２姿勢に変更する姿勢変更機構をさらに備えている、請求項１に記載の気体採取装置。
【請求項３】
前記バッグ収納部が第２位置にある状態で、前記ストッパは初期状態として第１姿勢に維持され、
前記バッグ収納部に設けられ、作業者の操作によって前記ストッパを第１姿勢から第２姿勢に変更する姿勢変更機構をさらに備えている、請求項１に記載の気体採取装置。
【請求項４】
前記規制部は、前記開口部を開閉するためのカバーをさらに有しており、
前記カバーは、前記バッグ収納部が第１位置から第２位置に向かって移動するときに第２位置に到達するまでは前記開口部を閉じており、第２位置に到達すれば前記開口部を開くことが可能である、請求項１〜３のいずれかに記載の気体採取装置。
【請求項５】
前記ストッパと前記カバーは一体に形成されており、
前記ストッパが第１姿勢の時に前記カバーは前記開口部を閉じており、前記ストッパが第２姿勢の時に前記カバーは前記開口部を開いている、請求項４に記載の気体採取装置。
【請求項６】
バッグ内の気体を採取するための気体採取装置であって、
装置筐体と、
開口部を有しており、前記装置筐体内の第１位置と、前記装置筐体外において前記開口部が露出することでバッグを収納するための第２位置との間で移動可能なバッグ収納部と、
前記装置筐体内で固定されており、前記バッグ収納部が第２位置にあるときに前記バッグ収納部内には進入せず、前記バッグ収納部が第１位置にあるときに前記バッグ収納部内に進入する、採取針と、
前記開口部を開閉するための部材であり、前記バッグ収納部が第１位置から第２位置に向かって移動するときに第２位置に到達するまでは前記開口部を閉じており、第２位置に到達すれば前記開口部を開くことが可能である、カバーと、
を備えた気体採取装置。
【請求項７】
前記バッグ収納部が第２位置に到達すれば、前記カバーを自動的に開くカバー姿勢変更機構をさらに備えている、請求項６に記載の気体採取装置。
【請求項８】
前記バッグ収納部が第２位置にある状態で前記カバーは初期状態として閉じられており、
前記バッグ収納部に設けられ、作業者の操作によって前記カバーを開かせるカバー姿勢変更機構をさらに備えている、請求項６に記載の気体採取装置。
【発明の詳細な説明】
【技術分野】
【０００１】
本発明は、気体採取装置、特に、バッグ内の気体を採取針によって採取する装置に関する。
【背景技術】
【０００２】
特許文献１には、２枚の矩形のフィルムを貼り合せた容器本体に開口を２つ設け、各開口にそれぞれ筒状体を嵌め、各筒状体にそれぞれキャップを設けた呼気採取容器（以後、バッグという）が開示されている。
特許文献１のバッグは、例えば、オートサンプラーにセットされる。オートサンプラーでは、採取針がバッグに突き刺さり、バッグ内の気体を吸い出してガス分析装置に送り出す。
【先行技術文献】
【特許文献】
【０００３】
【特許文献１】特開２００３−１６６９１４号公報
【発明の概要】
【発明が解決しようとする課題】
【０００４】
従来の装置ではオートサンプラーが開いた状態で採取針が露出する状態が生じ、作業者が採取針に接触する可能性があった。また、その問題を解消するための具体的な検討はなされてこなかった。
本発明の目的は、採取針が用いられる気体採取装置の安全性を向上することにある。
【課題を解決するための手段】
【０００５】
以下に、課題を解決するための手段として複数の態様を説明する。これら態様は、必要に応じて任意に組み合せることができる。
【０００６】
本発明の一見地に係る気体採取装置は、バッグ内の気体を採取するための装置であって、装置筐体と、バッグ収納部と、採取針と、規制部とを備えている。
バッグ収納部は、開口部を有しており、装置筐体内の第１位置と、装置筐体外において開口部が露出することでバッグを収納するための第２位置との間で移動可能である。
採取針は、装置筐体内で固定されており、バッグ収納部が第２位置にあるときにバッグ収納部内には進入せず、バッグ収納部が第１位置にあるときにバッグ収納部内に進入している。
規制部は、ストッパを有している。ストッパは、バッグ収納部が第２位置にあるときに、バッグ収納部が第１位置に戻ることを許容する第１姿勢と、バッグ収納部が第１位置に戻ることを規制する第２姿勢とを取ることができる。
この装置では、バッグ収納部が第２位置にあるときにストッパを第２姿勢とすることで、バッグ収納部が意図せずに第２位置から第１位置に戻ることを規制できる。したがって、バッグ収納部の開口部が露出した状態でかつ採取針がバッグ収納部に進入する状態が生じにくい。
【０００７】
気体採取装置は、バッグ収納部が第２位置に到達すれば、ストッパを自動的に第２姿勢に変更する姿勢変更機構をさらに備えていてもよい。
この装置では、姿勢変更機構によってストッパは自動的に第２姿勢に変更される。
【０００８】
バッグ収納部が第２位置にある状態で、ストッパは初期状態として第１姿勢に維持されてもよい。気体採取装置は、姿勢変更機構をさらに備えていてもよい。姿勢変更機構は、バッグ収納部に設けられ、作業者の操作によってストッパを第１姿勢から第２姿勢に変更する。
この装置では、作業者が姿勢変更機構を操作することで、ストッパは第２姿勢に変更される。作業者はストッパではなく姿勢変更機構を操作できるので、作業性が良い。
【０００９】
規制部は、開口部を開閉するためのカバーをさらに有していてもよい。その場合、カバーは、バッグ収納部が第１位置から第２位置に向かって移動するときに第２位置に到達するまでは開口部を閉じており、第２位置に到達すれば開口部を開くことが可能である。
この装置では、バッグ収納部が第２位置に到達するまでは、カバーによってバッグ収納部の開口部が閉じられている。したがって、バッグ収納部を引き出すときに、バッグ収納部の開口部が露出した状態で採取針がバッグ収納部に進入する状態が生じにくい。
【００１０】
ストッパとカバーは一体に形成されていてもよい。その場合、ストッパが第１姿勢の時にカバーは開口部を閉じており、ストッパが第２姿勢の時にカバーは開口部を開いている。
この装置では、規制部の構造が簡単になる。
【００１１】
本発明の他の見地に係る気体採取装置は、バッグ内の気体を採取するための装置であって、装置筐体と、バッグ収納部と、採取針と、カバーとを備えている。
バッグ収納部は、開口部を有しており、装置筐体内の第１位置と、装置筐体外において開口部が露出することでバッグを収納するための第２位置との間で移動可能である。
採取針は、装置筐体内で固定されており、バッグ収納部が第２位置にあるときにバッグ収納部内には進入せず、バッグ収納部が第１位置にあるときにバッグ収納部内に進入する。
カバーは、開口部を開閉するための部材であり、バッグ収納部が第１位置から第２位置に向かって移動するときに第２位置に到達するまでは開口部を閉じており、第２位置に到達すれば開口部を開くことが可能である。
この装置では、バッグ収納部が第２位置に到達するまでは、カバーによってバッグ収納部の開口部が閉じられている。したがって、バッグ収納部を引き出すときに、バッグ収納部の開口部が露出した状態で採取針がバッグ収納部に進入する状態が生じにくい。
【００１２】
気体採取装置は、バッグ収納部が第２位置に到達すれば、カバーを自動的に開くカバー姿勢変更機構をさらに備えていてもよい。
この装置では、カバー姿勢変更機構によってカバーは自動的に第２姿勢に変更される。
【００１３】
バッグ収納部が第２位置にある状態で、カバーは初期状態として閉じられていてもよい。気体採取装置は、カバー姿勢変更機構をさらに備えていてもよい。カバー姿勢変更機構は、バッグ収納部に設けられ、作業者の操作によってカバーを開かせる。
この装置では、作業者がカバー姿勢変更機構を操作することで、カバーは第２姿勢に変更される。作業者はカバーでなくカバー姿勢変更機構を操作すればよいので、作業性が良い。
【発明の効果】
【００１４】
本発明に係る気体採取装置では、安全性が向上する。
【図面の簡単な説明】
【００１５】
【図１】第１実施形態の気体採取装置（引き出し・クローズ）の斜視図。
【図２】図１の一部を取り除いた状態の斜視図。
【図３】気体採取装置（引き出し・オープン）の斜視図。
【図４】図３の一部を取り除いた状態の斜視図。
【図５】気体採取装置の内部構成を示す斜視図。
【図６】気体採取装置の内部部材の動作を示す模式的平面図。
【図７】気体採取装置の内部部材の動作を示す模式的平面図。
【図８】気体採取装置の内部部材の動作を示す模式的平面図。
【図９】気体採取装置の内部部材の動作を示す模式的平面図。
【図１０】気体採取装置の内部部材の動作を示す模式的平面図。
【図１１】気体採取装置の内部部材の動作を示す模式的平面図。
【図１２】第２実施形態の気体採取装置（引き出し・クローズ）の斜視図。
【図１３】図１２の一部を取り除いた状態の斜視図。
【図１４】気体採取装置（引き出し・オープン）の斜視図。
【図１５】図１４の一部を取り除いた状態の斜視図。
【図１６】気体採取装置の内部構成を示す斜視図。
【図１７】第３実施形態の気体採取装置（引き出し・クローズ）の斜視図。
【図１８】図１７の一部を取り除いた状態の斜視図。
【図１９】気体採取装置の内部構成を示す斜視図。
【図２０】気体採取装置（引き出し・オープン）の斜視図。
【図２１】図２０の一部を取り除いた状態の斜視図。
【図２２】第４実施形態の気体採取装置（引き出し・クローズ）の斜視図。
【図２３】図２２の一部を取り除いた状態の斜視図。
【図２４】気体採取装置の内部構成を示す斜視図。
【図２５】気体採取装置（引き出し・オープン）の斜視図。
【図２６】図２５の一部を取り除いた状態の斜視図。
【発明を実施するための形態】
【００１６】
１．第１実施形態
（１）基本構成
図１〜図５を用いて、第１実施形態の気体採取装置１を説明する。図１は、第１実施形態の気体採取装置（引き出し・クローズ）の斜視図である。図２は、図１の一部を取り除いた状態の斜視図である。図３は、気体採取装置（引き出し・オープン）の斜視図である。図４は、図３の一部を取り除いた状態の斜視図である。図５は、気体採取装置の内部構成を示す斜視図である。
なお、以下の説明では、後述するバッグ収納部９のスライド方向を第１方向とし、第１方向に直交する水平方向を第２方向とする。
【００１７】
気体採取装置１は、気体採取袋つまりガスバッグ３（図９〜図１１）内のサンプルガスつまり気体（例えば、呼気）を採取するための装置である。より具体的には、気体採取装置１は、ガスバッグ３を収納することで、その中の気体を図示しない分析装置に供給可能とする装置である。ガスバッグ３内の気体は、配管接続されているガス分析装置に内蔵するポンプによって吸引される。
気体採取装置１は、装置筐体５を有している。装置筐体５は、内部が空洞の箱部材である。装置筐体５は、図５〜図１１に示すように、内部空間５ａと、装置手前側の開口部５ｂとを有している。内部空間５ａには、後述する各種部材が設けられている。
【００１８】
気体採取装置１は、図５に示すように、採取針７を有している。採取針７は、後述するガスバッグ３内に刺さって気体を吸引するための装置である。採取針７は、内部空間５ａにおいて固定されている。採取針７は第１方向に延びており、採取針７の先端７ａは、装置筐体５の装置手前側を向いている。より具体的には、採取針７の先端７ａは、内部空間５ａ内ではあるが、開口部５ｂに近接した位置に配置されている。
【００１９】
気体採取装置１は、バッグ収納部９を有している。バッグ収納部９は、後述するガスバッグ３を収納するための部材である。バッグ収納部９は、図３〜図５に示すように、上方に開いた第１開口部９ａを有している。バッグ収納部９は、装置筐体５内の第１位置（収納位置）と、装置筐体５外において第１開口部９ａが露出することでガスバッグ３を収納するための第２位置（引き出し位置）との間で、開口部５ｂを通って移動可能である。具体的には、バッグ収納部９は、側方にスライド移動することで第１位置と第２位置との間で移動可能である。なお、バッグ収納部９から見て、第１方向の装置筐体５側を奥側といい、第１方向の装置筐体５と反対側を手前側という。
バッグ収納部９が第１位置にあるときに、採取針７の先端７ａはバッグ収納部９に進入している（図６）。バッグ収納部９が第２位置にあるときに、採取針７の先端７ａはバッグ収納部９内には進入していない（図９）。
【００２０】
バッグ収納部９の第１方向奥側には、図６〜図１１に示すように、内部空間５ａ内に通じる第２開口部９ｂが形成されている。
バッグ収納部９の前側プレート９ｃには、取手９ｄが設けられている。
【００２１】
気体採取装置１は、図１及び図２に示すように、カバー部材１１を有している。
カバー部材１１は、カバー１３を有している。カバー１３は、バッグ収納部９が第２位置にある状態で、第１開口部９ａを開閉するための部材である。
【００２２】
カバー１３は、平板状の部材であり、第１開口部９ａに対応した形状である。カバー１３は、バッグ収納部９に回動自在に固定され、第１開口部９ａを閉じる第１位置（図１、図２）と、第１開口部９ａを開く第２位置（図３、図４）との間で回動可能である。具体的には、カバー１３の第１方向手前側部分（具体的には、後述するストッパ１５の一部分）が、図２及び図５に示すように、バッグ収納部９の第１方向手前側部分に回動自在に連結されている。これにより、カバー１３は、第１位置では第１方向奥側端がバッグ収納部９の上部に一致しており、第２位置では第１方向奥側端がバッグ収納部９の上部から上方に離れた位置になるように、回動する。
カバー１３は、図１〜図５に示すように、第２方向両端に把持操作部５１を有している。把持操作部５１は、バッグ収納部９の第２方向側面から第２方向にわずかに突出している。したがって、図１及び図３に示すように、作業者が例えば指５３によって下から操作してカバー１３を容易に開くことができる。なお、把持操作部５１はバッグ収納９の出し入れを妨げない寸法に設定されている。
【００２３】
カバー部材１１は、ストッパ１５を有している。ストッパ１５は、バッグ収納部９が第２位置にあるときに、バッグ収納部９が第１位置に戻ることを許容する第１姿勢と、バッグ収納部９が第１位置に戻ることを規制する第２姿勢とを取ることができる。具体的には、ストッパ１５とカバー１３は一体に形成されている。そのため、ストッパ１５は、カバー１３が第１位置の時に第１姿勢を取り、カバー１３が第２位置の時に第２姿勢を取る。このようにカバー１３とストッパ１５が一体に形成されているので、構造が簡単になる。
さらに具体的には、ストッパ１５は、カバー１３の長手方向両端に設けられた板状部材である。ストッパ１５は、具体的には、９０度の円弧状外周面を有する板状部材である。ストッパ１５は、図１及び図２に示すように第１姿勢ではバッグ収納部９内に入り込んでおり、バッグ収納部９が開口部５ｂを出入りするのを制限しない。ストッパ１５は、図３〜図５に示すように第２姿勢では、開口部５ｂの外側近傍で装置筐体５の一部に対して第１方向に近接する位置に配置されるので、バッグ収納部９が開口部５ｂから内部空間５ａに入るのを規制する。
【００２４】
気体採取装置１は、安全板１９を有している。安全板１９は、バッグ収納部９を第２位置に配置したときに採取針７の先端７ａがバッグ収納部９内に露出することを防止するための部材である。安全板１９は、具体的には、バッグ収納部９の奥側の壁を構成する板状部材である。ただし、安全板１９は、バッグ収納部９に対して第１方向に所定範囲内で移動できる。安全板１９の装置筐体５に対する移動は、図６に示すように、第１開口部９ａ近傍の第１位置と、第１開口部９ａからバッグ収納部９の第１方向幅だけ離れた第２位置との間の範囲Ｓ内に制限されている。
安全板１９には、採取針７が貫通可能な孔１９ａが形成されている。
【００２５】
気体採取装置１は、固定ブロック４１を有している。固定ブロック４１には、採取針７が固定されている。さらに、固定ブロック４１には、収納部シャフト４３及び安全板シャフト４５を支持するリニアガイド（図示せず）が設けられている
気体採取装置１は、カラー４７を有している。カラー４７は、収納部シャフト４３に固定され、安全板１９の第１方向奥側に配置されている。カラー４７は、バッグ収納部９を開くときに、安全板１９を一緒に引き出すことを可能にする（例えば、図７）。また、バッグ収納部９を完全に開いたときに（例えば、図８）、カラー４７は、安全板１９がさらに第１方向奥側に移動することを規制することで、採取針７が露出することを防止する。
なお、カラー４７の代わりに、バッグ収納部に折り返し部を形成して、折り返し部によってカラー４７と同じ機能を実現してもよい。具体的には、折り返し部は、バッグ収納部９を開くときに、安全板１９を一緒に引き出すことを可能にする。また、バッグ収納部９を完全に開いたときに、折り返し部は、安全板１９がさらに第１方向奥側に移動することを規制することで、採取針７が露出することを防止する。
【００２６】
（２）基本動作
図６〜図１１を用いて、気体採取装置１において、バッグ収納部９を引き出して、ガスバッグ３をバッグ収納部９に収納して、バッグ収納部９を閉じる一連の動作を説明する。図６〜図１１は、気体採取装置の内部部材の動作を示す模式的平面図である。
【００２７】
図６では、バッグ収納部９は第１位置にある。したがって、採取針７の先端７ａはバッグ収納部９内に位置している。このとき、安全板１９は、第１位置と第２位置の間の範囲Ｓ内の任意の位置にある。
図７では、バッグ収納部９は第１位置から第２位置への途中でわずかに引き出された位置にある。上記の動作では安全板１９は、カラー４７によって移動させられている。
この場合も採取針７は、安全板１９の孔１９ａから突出して、バッグ収納部９内に位置している。ただし、カバー部材１１のカバー１３が第１開口部９ａを閉じているので、作業者が採取針７の先端７ａに触れることはできない。つまり、バッグ収納部９の第１開口部９ａが露出した状態で採取針７がバッグ収納部９に進入する状態が生じない。
【００２８】
図８では、バッグ収納部９は第２位置にある。この状態から、作業者がカバー部材１１のカバー１３を第１姿勢から第２姿勢に変更する。つまり、第１開口部９ａが開かれる。ただし、図８に示すように、採取針７の先端７ａがバッグ収納部９内には進入していない。さらに、カラー４７が安全板１９のストッパとして機能することで、安全板１９が固定されているので、採取針７が７の先端７ａが安全板１９からバッグ収納部９内に露出していない。したがって、作業者が採取針７の先端７ａに触れることはない。
さらに、カバー部材１１のカバー１３が第２姿勢であるので、ストッパ１５は第２姿勢を取っている。つまり、バッグ収納部９が第１位置に戻ることが規制されている。このため、例えば図８に示す第２位置からバッグ収納部９が意図せずに第１方向奥側に移動することを防止できる。つまり、バッグ収納部９の第１開口部９ａが露出した状態でかつ採取針７がバッグ収納部９に進入する状態が生じない。
【００２９】
図９では、作業者によって、ガスバッグ３がバッグ収納部９内に入れられる。次に、作業者がカバー１３を第１姿勢に変更し、そのままバッグ収納部９を第１方向奥側に移動させる。
図１０では、バッグ収納部９が第２位置と第１位置との間に位置している。また、ガスバッグ３は安全板１９に当接している。この後に、安全板１９は、ガスバッグ３に押されて第１方向奥側に移動する。
【００３０】
図１１では、バッグ収納部９が第１位置に位置しており、採取針７の先端７ａがガスバッグ３内に入り込んでいる。つまり、図１０から図１１に移行する途中で、採取針７の先端７ａがガスバッグ３に突き刺さる。
この状態で、バッグ収納部９内の気体は、採取針７から吸引されて図示しない測定装置に送られる。それにより、ガス測定が実行される。
【００３１】
２．第２実施形態
前記実施形態ではカバー部材のカバーは作業者によって直接開閉されていたが、カバーは開閉機構を介して開閉されてもよい。
図１２〜図１６を用いて、そのような実施形態としての第２実施形態を説明する。図１２は、第２実施形態の気体採取装置（引き出し・クローズ）の斜視図である。図１３は、図１２の一部を取り除いた状態の斜視図である。図１４は、気体採取装置（引き出し・オープン）の斜視図である。図１５は、図１４の一部を取り除いた状態の斜視図である。図１６は、気体採取装置の内部構成を示す斜視図である。
なお、基本的な構成は第１実施形態と同じであるので、それら構成の説明は省略する。
【００３２】
気体採取装置１は、ねじりバネ１７を有している。ねじりバネ１７は、バッグ収納部９が第２位置に到達すれば、カバー１３を自動的に開くカバー姿勢変更機構である。これにより、カバー１３は自動的に第２姿勢に変更される。
【００３３】
バッグ収納部９が第２位置にある状態（第１実施形態の図８）では、カバー部材１１のカバー１３は、ねじりバネ１７によって、第１姿勢から第２姿勢に変更される。つまり、第１開口部９ａが開かれる。ただし、図８に示すように、採取針７の先端７ａがバッグ収納部９内には進入していない。さらに、カラー４７が安全板１９のストッパとして機能することで、安全板１９が固定されているので、採取針７が７の先端７ａが安全板１９からバッグ収納部９内に露出していない。したがって、作業者が採取針７の先端７ａに触れることはない。
さらに、カバー部材１１のカバー１３が第２姿勢であるので、ストッパ１５は第２姿勢を取っている。つまり、バッグ収納部９が第１位置に戻ることが規制されている。このため、例えば図８に示す第２位置からバッグ収納部９が意図せずに第１方向奥側に移動することを防止できる。つまり、バッグ収納部９の第１開口部９ａが露出した状態でかつ採取針７がバッグ収納部９に進入する状態が生じない。
【００３４】
作業者によって、ガスバッグ３がバッグ収納部９内に入れられると（第１実施形態の図９）、次に、作業者がカバー１３を第１姿勢に変更し、そのままバッグ収納部９を第１方向奥側に移動させる。
【００３５】
３．第３実施形態
第２実施形態ではカバー１３を第２姿勢に変更する動作は、ねじりバネ１７によって自動的に行われていた。しかし、カバー１３の姿勢変更は、作業者の操作によって行われてもよい。
図１７〜図２１を用いて、そのような実施形態を第３実施形態として説明する。図１７は、第３実施形態の気体採取装置（引き出し・クローズ）の斜視図である。図１８は、図１７の一部を取り除いた状態の斜視図である。図１９は、気体採取装置の内部構成を示す斜視図である。図２０は、気体採取装置（引き出し・オープン）の斜視図である。図２１は、図２０の一部を取り除いた状態の斜視図である。
【００３６】
気体採取装置１は、図１８及び図１９に示すように、姿勢変更機構２１を有している。姿勢変更機構２１は、バッグ収納部９に設けられ、作業者の操作によってカバー部材１１を第１姿勢から第２姿勢に変更するための機構である。姿勢変更機構２１は、上下方向の操作によってカバー部材１１を回動させるリンク機構である。
姿勢変更機構２１は、第１部材２３と、第２部材２５とを有している。第１部材２３は、第１部分２３ａと、第２部分２３ｂと、操作部２３ｃとを有している。第１部分２３ａは、第２方向に長く延びている。第２部分２３ｂは、第１部分２３ａの両端から奥側に向かって斜め上方に延びている。第２部材２５は、第１端がカバー１３又はストッパ１５に固定され、第２端が第１部材２３の第２部分２３ｂの端部に回動自在に連結されている。
操作部２３ｃは、第１部材２３の前面側に設けられた突起であり、前側プレート９ｃに形成されたスリット９ｅ内に配置されている。スリット９ｅは上下方向に長く延びており、そのため操作部２３ｃはスリット９ｅに沿って上下方向に移動可能である。
【００３７】
図１７及び図１８に示すようバッグ収納部９を第２位置に引き出した状態で、カバー部材１１は初期状態として第１姿勢に維持されている。そして、操作部２３ｃはスリット５ｄの下方に位置している。
この状態から作業者が操作部２３ｃを上側に移動させると、第２部材２５が第１部材２３によって駆動されながら、カバー部材１１を回動させる。その結果、図２０及び図２１に示すように、カバー部材１１が第２姿勢になる。
この装置では、作業者が姿勢変更機構２１を操作することで、カバー部材１１は第２姿勢に変更される。作業者はカバー部材１１ではなく姿勢変更機構２１を操作できるので、作業性が良い。
【００３８】
４．第４実施形態
図２２〜図２６を用いて、カバー１３の姿勢変更を作業者の操作によって行う他の実施形態を第４実施形態として説明する。図２２は、第４実施形態の気体採取装置（引き出し・クローズ）の斜視図である。図２３は、図２２の一部を取り除いた状態の斜視図である。図２４は、気体採取装置の内部構成を示す斜視図である。図２５は、気体採取装置（引き出し・オープン）の斜視図である。図２６は、図２５の一部を取り除いた状態の斜視図である。
【００３９】
気体採取装置１は、図２３及び図２４示すように、姿勢変更機構３１を有している。姿勢変更機構３１は、バッグ収納部９に設けられ、作業者の操作によってカバー部材１１を第１姿勢から第２姿勢に変更するための機構である。姿勢変更機構３１は、回転方向の操作によってカバー部材１１を回動させるリンク機構を採用している。
姿勢変更機構３１は、回転部材３２と、第１部材３３と、第２部材３５とを有している。回転部材３２は、円板部３２ａと、操作部３２ｂとを有している。操作部３２ｂは、円板部３２ａの前面側に設けられた突起であり、前側プレート９ｃに形成された孔９ｆ内に配置されている。そのため操作部３２ｂは孔９ｆにおいて回転可能である。回転部材３２の奥側には、突起３２ｃが設けられている（後述）。
第１部材３３は、第１部分３３ａと、第２部分３３ｂとを有している。第１部分３３ａは、第２方向に延びている。第１部分３３ａは、図２４に示すように、第２方向に延びるスリット３３ｃを有しており、その中に回転部材３２の突起３２ｃが挿入されている。第２部分３３ｂは、第１部分３３ａから奥側に向かって斜め上方に延びている。第２部材３５は、第１端がカバー１３又はストッパ１５に固定され、第２端が第１部材３３の第２部分３３ｂの端部に回動自在に連結されている。
【００４０】
図２２及び図２３に示すようバッグ収納部９を第２位置に引き出した状態で、カバー部材１１は初期状態として第１姿勢に維持されている。
この状態から作業者が操作部３２ｂを回動させると、突起３２ｃが、スリット３３ｃ内を移動しながら第１部材３３を上側に移動させる。その結果、第２部材３５が第１部材３３によって駆動されながら、カバー部材１１を回動させる。その結果、図２５及び図２６に示すように、カバー部材１１が第２姿勢になる。なお、突起３２ｃとスリット３３ｃは互いに摺動するので、そこでの動作をスムーズにするために、少なくとも摺動箇所にはＰＯＭ（ポリアセタール）、ＰＥ（ポリエチレン）などの滑り性の良い樹脂材が用いられる。
この装置では、作業者が姿勢変更機構３１を操作することで、カバー部材１１は第２姿勢に変更される。作業者はカバー部材１１ではなく姿勢変更機構３１を操作できるので、作業性が良い。
【００４１】
５．実施形態の共通事項
上記第１〜第４実施形態は、下記の構成及び機能を共通に有している。
気体採取装置（例えば、気体採取装置１）は、バッグ（例えば、ガスバッグ３）内の気体を採取するための装置であって、装置筐体（例えば、装置筐体５）と、バッグ収納部（例えば、バッグ収納部９）と、採取針（例えば、採取針７）と、規制部（例えば、カバー部材１１）とを備えている。
バッグ収納部は、開口部（例えば、第１開口部９ａ）を有しており、装置筐体内の第１位置と、装置筐体外において開口部が露出することでバッグを収納するための第２位置との間で移動可能である。
採取針は、装置筐体内で固定されており、バッグ収納部が第２位置にあるときにバッグ収納部内には進入せず、バッグ収納部が第１位置にあるときにバッグ収納部内に進入している。
規制部は、ストッパ（例えば、ストッパ１５）を有している。ストッパは、バッグ収納部が第２位置にあるときに、バッグ収納部が第１位置に戻ることを許容する第１姿勢と、バッグ収納部が第１位置に戻ることを規制する第２姿勢とを取ることができる。
この装置では、バッグ収納部が第２位置にあるときにストッパを第２姿勢とすることで、バッグ収納部が意図せずに第２位置から第１位置に戻ることを規制できる。したがって、バッグ収納部の開口部が露出した状態でかつ採取針がバッグ収納部に進入する状態が生じにくい。
【００４２】
６．他の実施形態
以上、本発明の複数の実施形態について説明したが、本発明は上記実施形態に限定されるものではなく、発明の要旨を逸脱しない範囲で種々の変更が可能である。特に、本明細書に書かれた複数の実施例及び変形例は必要に応じて任意に組み合せ可能である。
ストッパとカバーは一体でなくてもよい。
ストッパとカバーは、いずれか一方のみが設けられていてもよい。
バッグ収納部は、スライドではなく、回動によって第１位置と第２位置との間を移動してもよい。
【産業上の利用可能性】
【００４３】
本発明は、バッグ内の気体を採取針によって採取する装置に広く適用できる。
【符号の説明】
【００４４】
１      ：気体採取装置
３      ：バッグ
５      ：装置筐体
５ａ    ：内部空間
５ｂ    ：開口部
７      ：採取針
９      ：バッグ収納部
９ａ    ：第１開口部
９ｂ    ：第２開口部
１１    ：カバー部材
１３    ：カバー
１５    ：ストッパ
２１    ：姿勢変更機構
３１    ：姿勢変更機構
【図１】
2019219172.tif 000003
【図２】
2019219172.tif 000004
【図３】
2019219172.tif 000005
【図４】
2019219172.tif 000006
【図５】
2019219172.tif 000007
【図６】
2019219172.tif 000008
【図７】
2019219172.tif 000009
【図８】
2019219172.tif 000010
【図９】
2019219172.tif 000011
【図１０】
2019219172.tif 000012
【図１１】
2019219172.tif 000013
【図１２】
2019219172.tif 000014
【図１３】
2019219172.tif 000015
【図１４】
2019219172.tif 000016
【図１５】
2019219172.tif 000017
【図１６】
2019219172.tif 000018
【図１７】
2019219172.tif 000019
【図１８】
2019219172.tif 000020
【図１９】
2019219172.tif 000021
【図２０】
2019219172.tif 000022
【図２１】
2019219172.tif 000023
【図２２】
2019219172.tif 000024
【図２３】
2019219172.tif 000025
【図２４】
2019219172.tif 000026
【図２５】
2019219172.tif 000027
【図２６】
2019219172.tif 000028